(57)【要約】【課題】目的に応じて、表示部を、片眼仕様、または両眼仕様に容易に切換えることができ、機能性に優れた頭部装着式映像表示装置を提供する。【解決手段】映像を表示する表示部をそれぞれ備えた第１の表示ユニットと第２の表示ユニットは、それぞれに設けられたフレームによって着脱自在に連結され、透明な基板を備えた透明基板ユニットと、第１の表示ユニット、または第２の表示ユニットは、それぞれに設けられたフレームによって着脱自在に連結され、第１の表示ユニットと第２の表示ユニットと透明基板ユニットのうちのいずれか２つは連結されて、頭部、または顔面に装着される。【選択図】図１
2007251890.tif 000002
【特許請求の範囲】
【請求項１】
映像を表示する２つの表示部を備え、
一方の前記表示部と、装着時に該表示部を装着者の右の眼球の近傍であって、該眼球に対向する様に支持するフレームと、を備えた第１の表示ユニットと、
他方の前記表示部と、装着時に該表示部を装着者の左の眼球の近傍であって、該眼球に対向する様に支持するフレームと、を備えた第２の表示ユニットと、
透明な基板と、装着時に該基板を装着者の右、または左の眼球の近傍であって、該眼球に対向する様に支持するフレームと、を備えた透明基板ユニットと、を有し、
前記第１の表示ユニットと前記第２の表示ユニットは、それぞれに設けられたフレームによって着脱自在に連結され、
前記透明基板ユニットと、前記第１の表示ユニット、または前記第２の表示ユニットは、それぞれに設けられたフレームによって着脱自在に連結され、
前記第１の表示ユニットと前記第２の表示ユニットと前記透明基板ユニットのうちのいずれか２つは連結されて、頭部、または顔面に装着されることを特徴とする頭部装着式映像表示装置。
【発明の詳細な説明】
【技術分野】
【０００１】
本発明は、映像表示装置に関し、特に頭部装着式映像表示装置に関する。
【背景技術】
【０００２】
近年、映画やビデオ等のコンテンツ映像（画像）の観賞や産業機器若しくは医療機器の遠隔操作等を目的とした頭部装着式映像表示装置、すなわちＨＭＤ（Ｈｅａｄ  Ｍｏｕｎｔ  Ｄｉｓｐｌａｙ）の開発が行われている。
【０００３】
ＨＭＤは、液晶表示素子や有機ＥＬ等の映像表示素子と、映像表示素子から得られる映像をＨＭＤの装着者の眼球に導く為の接眼光学系等、を備えた表示部が設けられている。
【０００４】
そしてＨＭＤは、該接眼光学系によって映像表示素子から得られた映像を、装着者の眼球に直接投影させることで、恰も該映像が空中に拡大投影されているかの様な虚像の観察を可能にしている。
【０００５】
この様な構成のＨＭＤは、通常、１つ、または２つの表示部を有し、一方の眼、または両方の眼に映像を提供する様にしている。
【０００６】
例えば、特許文献１においては、片眼にのみ映像を提供する様にした片眼式ＨＭＤの技術が開示されている。一方、特許文献２においては、両眼に映像を提供する様にした両眼式ＨＭＤの技術が開示されている。
【特許文献１】特開２００２−１５６６００号公報
【特許文献２】特開平１１−３３１７３１号公報
【発明の開示】
【発明が解決しようとする課題】
【０００７】
この様に、表示部を片眼にのみ備えた片眼式ＨＭＤ、または両眼に備えた両眼式ＨＭＤが種々検討されてきた。
【０００８】
しかしながら、特許文献２に開示されている様な両眼式ＨＭＤにおいては、例えば、映画やビデオ等のコンテンツ映像を直接的に左右の眼球に投影させて、大画面の迫力ある映像を自由に楽しむことができるものであるが、一方において、この様な構成によるＨＭＤの場合、これを使用している観察者、つまり、頭部にＨＭＤを装着して映像を観察中の観察者にとっては、左右の眼球部が共に覆われていて、外界の状況が視界から完全に遮蔽されてしまうことになり、周囲環境を考慮するとき、非常に危険ですらあるとも云える。
【０００９】
一方、特許文献１に開示されている様な片眼式ＨＭＤにおいては、室内等の安全な環境下で、コンテンツ映像を充分に楽しみたい場合は、片方の眼にしか映像が提供されないことから、臨場感溢れる映像を鑑賞することは困難なものと考えられる。
【００１０】
本発明は、上記課題を鑑みてなされたもので、目的に応じて、表示部を、片眼仕様、または両眼仕様に容易に切換えることができ、機能性に優れた頭部装着式映像表示装置を提供することを目的とする。
【課題を解決するための手段】
【００１１】
上記目的は、下記の１に記載の発明によって達成される。
【００１２】
１．映像を表示する２つの表示部を備え、
一方の前記表示部と、装着時に該表示部を装着者の右の眼球の近傍であって、該眼球に対向する様に支持するフレームと、を備えた第１の表示ユニットと、
他方の前記表示部と、装着時に該表示部を装着者の左の眼球の近傍であって、該眼球に対向する様に支持するフレームと、を備えた第２の表示ユニットと、
透明な基板と、装着時に該基板を装着者の右、または左の眼球の近傍であって、該眼球に対向する様に支持するフレームと、を備えた透明基板ユニットと、を有し、
前記第１の表示ユニットと前記第２の表示ユニットは、それぞれに設けられたフレームによって着脱自在に連結され、
前記透明基板ユニットと、前記第１の表示ユニット、または前記第２の表示ユニットは、それぞれに設けられたフレームによって着脱自在に連結され、
前記第１の表示ユニットと前記第２の表示ユニットと前記透明基板ユニットのうちのいずれか２つは連結されて、頭部、または顔面に装着されることを特徴とする頭部装着式映像表示装置。
【発明の効果】
【００１３】
本発明によれば、第１の表示ユニットと第２の表示ユニットと透明基板ユニットのうちのいずれか２つを着脱自在に連結して、頭部、または顔面に装着できる様にした。したがって、例えば、室内等の安全な環境下で、コンテンツ映像を充分に楽しみたい場合は、第１の表示ユニットと第２の表示ユニットを連結して、両方の眼に映像を提供することにより、臨場感溢れる映像を鑑賞することができる。一方、屋外等の周囲の環境を考慮する必要がある場合は、透明基板ユニットと第１の表示ユニット、または前記第２の表示ユニットを連結して、一方の眼にのみ映像を提供し、他方の目では透明基板を通して外界情景を観察できる様にすることにより、安全性を確保しながら映像を鑑賞することができる。
【００１４】
また、有効視野が狭くなる視野狭窄や、弱視者に対しては、電子カメラで撮影された鮮明な映像を一方の眼に提供し、他方の目では透明基板を通して外界情景を観察できる様にすることにより、視覚補助装置として使用することができる。
【発明を実施するための最良の形態】
【００１５】
以下図面に基づいて、本発明に係る頭部装着式映像表示装置の代表的な実施形態の１つであるＨＭＤ（Ｈｅａｄ  Ｍｏｕｎｔ  Ｄｉｓｐｌａｙ）について説明する。
【００１６】
最初に、ＨＭＤ１の全体構成を図１を用いて説明する。図１（ａ）、図１（ｂ）は、それぞれ、本発明に係るＨＭＤ１における第１表示ユニット２、第２表示ユニット３を正面右から見た斜視図、図１（ｃ）、図１（ｄ）は、それぞれ、本発明に係るＨＭＤ１における第１透明基板ユニット４、第２透明基板ユニット５を正面右から見た斜視図である。
【００１７】
ＨＭＤ１は、装着者の眼球の近傍に配置されて使用される頭部装着式映像表示装置である。ＨＭＤ１は、図１（ａ）乃至図１（ｄ）に示す様に、第１表示ユニット２、第２表示ユニット３、第１透明基板ユニット４、第２透明基板ユニット５等を有する。
【００１８】
第１表示ユニット２、第２表示ユニット３は、図１（ａ）、図１（ｂ）に示す様に、それぞれ、フレーム２０１，３０１、透明基板２０２，３０２、ブリッジ２０３，３０３、及び表示部２０４，３０４等を有し、図示しないカメラユニットで撮影された映像や、外部Ｉ／Ｆ等から取り込まれた例えばビデオやテレビ等のコンテンツ映像等を、表示部２０４や表示部３０４に表示する。
【００１９】
フレーム２０１，３０１は、可撓性を有する弾性材等により構成された長尺状の部材であり、それぞれ装着者の右耳、左耳、または右側頭部、左側頭部に掛止され、ＨＭＤ１の装着者に対する頭部への保持及び装着位置の調整を行うためのものである。尚、フレーム２０１，３０１は、回動部２０１ａ，３０１ａにおいて矢印Ｐ，Ｑ方向に回動可能に構成されており、ＨＭＤ１を使用しない場合には、フレーム２０１，３０１を矢印Ｐ，Ｑ方向に回動させて後述の透明基板２０２，３０２に沿わせることにより、コンパクト化することができる。
【００２０】
透明基板２０２，３０２は、右左の眼球にそれぞれ対応した位置にＵ字型のスペース２０２ｓ，３０２ｓを形成する略平板状の透明体である。また、透明基板２０２，３０２に囲まれて形成されるＵ字型のスペース２０２ｓ，３０２ｓには、後述の表示ユニット２０４，３０４が嵌め込まれている。
【００２１】
表示ユニット２０４，３０４は、本発明における表示部に該当し、それぞれ図示しないＬＣＤ表示部や接眼光学系等を有し、カメラユニットで生成された映像信号や、外部Ｉ／Ｆから取り込まれた例えばビデオやテレビ等のコンテンツ映像信号等に基づいて、ＬＣＤ表示部で生成された映像を、接眼光学系によって、装着者の眼球に導くものである。
【００２２】
ブリッジ２０３，３０３は、第１表示ユニット２と第２表示ユニット３を、着脱自在に連結するものであり、連結時にそれぞれに設けられた透明基板２０２と３０２とを一定の間隙を介した相対位置関係に保持するものである。ブリッジ２０３の連結部に設けられた上下方向の長穴２０３ａに、ブリッジ３０３の連結部に設けられた棒状のピン３０３ａを挿通することにより、第１表示ユニット２と第２表示ユニット３は着脱自在に連結される。また、同様にして、第１表示ユニット２と後述の第２透明基板ユニット５は、それぞれのブリッジ２０３、５０３に設けられた長穴２０３ａとピン５０３ａを介して着脱自在に連結される。また、第２表示ユニット３と後述の第１透明基板ユニット４は、それぞれのブリッジ３０３、４０３に設けられたピン３０３ａと長穴４０３ａを介して着脱自在に連結される。
【００２３】
次に、第１透明基板ユニット４、第２透明基板ユニット５は、図１（ｃ）、図１（ｄ）に示す様に、表示部を有さず、透明基板４０２，５０２を通して外界情景を観察することができる。尚、第１透明基板ユニット４、第２透明基板ユニット５の要部は、前述の第１表示ユニット２、第２表示ユニット３と略同様なので説明は省略する。
【００２４】
この様な構成のＨＭＤ１において、本発明は、表示部２０４，３０４をそれぞれ備えた第１表示ユニット２、第２表示ユニット３、及び、表示部を有さない第１透明基板ユニット４、第２透明基板ユニット５において、互いに連結可能な２つのユニットを、目的に応じて選択して連結し、頭部、または顔面に装着することにより、両方の眼、または片方の眼のみに映像が提供される様にするものである。
【００２５】
ここで、２つのユニットが組み合わされた例を、図２を用いて説明する。図２（ａ）は、第１表示ユニット２と第２表示ユニット３とが連結された状態を正面右から見た斜視図、図１（ｂ）は、第１表示ユニット２と第２透明基板ユニット５とが連結された状態を正面右から見た斜視図である。
【００２６】
図２（ａ）に示す様に、第１表示ユニット２と第２表示ユニット３は、それぞれブリッジ２０３，３０３を介して連結部Ｓで連結されている。この様に、表示部２０４，３０４をそれぞれ備えた第１表示ユニット２と第２表示ユニット３とを連結させて、頭部、または顔面に装着することにより、両方の眼に映像が提供される様になる。
【００２７】
また、図２（ｂ）に示す様に、第１表示ユニット２と第２透明基板ユニット５は、それぞれブリッジ２０３，５０３を介して連結部Ｓで連結されている。この様に、表示部２０４を備えた第１表示ユニット２と表示部を有さない第２透明基板ユニット５とを連結させて、頭部、または顔面に装着することにより、右の眼には映像が提供され、左の眼では透明基板５０２を通して外界情景を観察することできる様になる。
【００２８】
この様に、本発明に係るＨＭＤにおいては、表示部を備えた２つの表示ユニット、及び、表示部を有さない２つの透明基板ユニットにおいて、互いに連結可能な２つのユニットを、目的に応じて選択して連結し、頭部、または顔面に装着することにより、両方の眼、または片方の眼のみに映像が容易に提供される様になる。また、ＨＭＤを使用しない場合には、２つのユニットに分割することができるので、コンパクトに収納することができる。
【００２９】
以上、本発明を実施の形態を参照して説明してきたが、本発明は前述の実施の形態に限定して解釈されるべきでなく、適宜変更、改良が可能であることは勿論である。例えば、前述の実施形態においては、それぞれのユニットに設けられたフレームとブリッジは、異なる部材で構成されているが、フレームを、透明基板の端面に沿って延在させてブリッジと一体化する様に形成してもよい。また、それぞれのユニットに設けられたブリッジは、回動自在に連結される様なヒンジ構成にしてもよい。これにより、２つのユニットが連結された状態で、連結部を軸として互いの透明基板の前面が対向する様に折りたたむことができ、コンパクトに収納することができる。
【図面の簡単な説明】
【００３０】
【図１】本発明に係るＨＭＤの全体構成図である。
【図２】本発明に係るＨＭＤの結合構成図である。
【符号の説明】
【００３１】
１  ＨＭＤ
２，３  第１表示ユニット，第２表示ユニット
４，５  第１透明基板ユニット，第２透明基板ユニット
２０１，３０１，４０１，５０１  フレーム
２０２，３０２，４０２，５０２  透明基板
２０３，３０３，４０３，５０３  ブリッジ
２０４，３０４  表示部
Ｂ  ブリッジ
【図１】
2007251890.tif 000003
【図２】
2007251890.tif 000004